(57)【要約】【課題】ネットワークの中継装置に対して監視データを送信し、その応答データから障害発生を監視することで、障害箇所の特定を行う。また、障害箇所をネットワークから切り離しを自動で行うことで障害がネットワーク全体に波及することを防止する。【解決手段】障害監視装置２は、ＵＤＰ／ＩＰで監視パケットをネットワーク上の各中継装置、幹線ＬＡＮ接続中継装置へ送信する。各中継装置、幹線ＬＡＮ接続中継装置は障害監視装置２からの前記監視パケットを受信すると、応答パケットを障害監視装置２へ送信する。障害監視装置２は各中継装置、幹線ＬＡＮ接続中継装置からの前記応答パケットの有無と、受信した応答パケットに含まれる障害情報を監視することで、障害の検出を行う。【選択図】  図１
2014011595.tif 000002
【特許請求の範囲】
【請求項１】
２系統ＬＡＮに複数の中継ＳＴが通信回線を介して接続され、前記中継ＳＴと前記通信回線を備え、前記中継ＳＴの障害発生箇所を特定するＬＡＮ障害監視装置において、
ネットワーク情報収集部が、一方のＬＡＮを介して、前記中継ＳＴの障害発生有無情報を応答データとして収集し、中継ＳＴ障害有無管理テーブルが、特定された中継ＳＴと中継順序に、収集した障害発生有無を中継ＳＴ毎に記憶し、監視部が、前記中継ＳＴ障害有無管理テーブルを参照して障害発生を判定し、障害発生と判定したときに、各中継ＳＴについて収集した障害発生有無と障害発生有無の個別発生状況及び順序発生状態を参照して障害発生の中継ＳＴを特定し、他方のＬＡＮを介して、特定された障害発生の中継ＳＴを切り離すことを特徴とするＬＡＮ障害監視装置。
【請求項２】
請求項１記載のＬＡＮ障害監視装置において、
障害情報の採取は、ＬＡＮに接続された複数の中継ＳＴに対しＵＤＰ／ＩＰ通信にて監視データを送信し、前記中継ＳＴからの応答データに含まれる障害情報と、応答データ受信の有無とを管理テーブルに記憶することであり、前記管理テーブルを元に障害発生箇所の特定を行うことを特徴としたＬＡＮ障害監視装置。
【請求項３】
請求項２記載のＬＡＮ障害監視装置において、
障害情報の採取において、前記障害監視装置が前記中継装置からの応答データの受信がなかった場合、もう片方のＬＡＮを介することにより、応答データを受信し障害情報を採取することを特徴としたＬＡＮ障害監視装置。
【請求項４】
請求項２記載のＬＡＮ障害監視装置において、
障害発生箇所の特定の手段として、ＬＡＮに接続された複数の中継ＳＴの障害情報と、障害発生の中継ＳＴとＬＡＮとの接続順序から、障害発生の要因箇所を特定することを特徴としたＬＡＮ障害監視装置。
【請求項５】
請求項１記載のＬＡＮ障害監視装置において、
前記ＬＡＮは、リング状に形成した２系統の幹線ＬＡＮと、障害監視装置または計算機と中継ＳＴと接続するＬＡＮとを備え、中継ＳＴと通信回線が接続され、中継ＳＴを介することにより通信が行われるネットワークであることを特徴としたＬＡＮ障害監視装置。
【請求項６】
請求項１記載のＬＡＮ障害監視装置において、前記中継ＳＴは、幹線ＬＡＮ上の通信データを中継する幹線ＬＡＮ接続中継装置と、幹線ＬＡＮ接続中継装置と障害監視装置または計算機の間の通信データを中継する中継装置とを備え、各中継装置、幹線ＬＡＮ接続中継装置それぞれが、前記障害監視装置が送信する監視データを受信し、応答データを障害監視装置に返信を行うことで、障害発生箇所の特定を行うことを特徴としたＬＡＮ障害監視装置。
【発明の詳細な説明】
【技術分野】
【０００１】
本発明は、２系統で構成されるローカルエリアネットワークを対象として、ネットワーク全体に影響を及ぼす障害が発生した場合、障害発生要因箇所の特定及び切り離しを行うことで、ネットワークへの障害波及の防止を行うＬＡＮ障害監視装置、方法及びプログラムに関する。
【背景技術】
【０００２】
従来、ネットワークを構成する複数の中継装置や通信回線に対する通信障害発生の監視は、ping（Packet Internet Groper）コマンドを利用して行っている。接続機器のＩＰ（Internet Protocol）アドレスを指定して要求パケット（ＩＰパケット）を送信し、接続機器からの応答パケット（ＩＰパケット）の受信の有無を監視することで、通信障害発生を検知する。
【０００３】
また、障害発生箇所の特定を行うネットワーク障害監視システムでは、障害監視装置から各中継装置までツリー構造を成すように通信経路を形成し、中継装置には通信経路が異なる複数のＶＬＡＮ（Virtual Local Area Network）と、ＶＬＡＮ毎に異なるＩＰアドレスを設定する。これにより障害監視装置は、pingコマンドにＶＬＡＮ毎に異なるＩＰアドレスを指定して、同一の中継装置に異なった通信経路を経由した監視データを送信することができる。障害監視装置は、中継装置から異なる通信経路を経由した応答データ受信の有無を監視することにより、物理ネットワークの障害箇所の特定を行う。
【先行技術文献】
【特許文献】
【０００４】
【特許文献１】特開２０１０−０３４８７６号公報
【発明の概要】
【発明が解決しようとする課題】
【０００５】
pingコマンドを利用したネットワーク監視方法では、ネットワーク全体に波及するような障害が発生した場合、通信障害が発生した中継装置を特定できない場合がある。
【０００６】
例えば、ネットワークに接続している計算機の実行プログラムの不具合により、過渡に通信データがネットワークに送信され、複数の中継装置が通信データを受信しきれない状態となってしまった場合、複数の中継装置が監視データを受信できないため、障害発生箇所の特定が困難となる。また、ネットワークが障害から回復した後では、障害発生時の情報が、回復後の情報へ上書きされている可能性があることから、通信障害の原因を特定するまで、手間と時間が掛かる。
【０００７】
そこで、前記の問題を解決するために、本発明では、ネットワークを構成する中継装置に対して、通信障害の発生の有無を監視し、通信障害が発生した場合には、その障害が発生した箇所を特定するだけではなく、通信障害の要因となる箇所をネットワークから切り離すことにより、ネットワークへの通信障害波及の防止を自動的に行うＬＡＮ障害監視装置、方法及びプログラムを提供することを目的とする。
【課題を解決するための手段】
【０００８】
本発明は、通信回線を介して複数の中継ＳＴ（ステーション）と接続され、前記中継ＳＴと前記通信回線とで構成されるネットワークにて発生した障害箇所を特定するＬＡＮ障害監視装置において、前記ネットワークは２系統ＬＡＮ（Local Area Network）で構成されており、ＬＡＮ障害監視装置はネットワーク上の前記中継ＳＴに対して、監視データを送信し、前記中継ＳＴからの応答データを受信する通信部と、前記応答データを収集する情報収集部と、前記応答データの有無を記憶する記憶部と、記憶部の内容から障害箇所を特定する監視部を備えるものである。
【０００９】
本発明のＬＡＮ障害監視装置において、前記中継ＳＴは、２台の中継装置と、２台の幹線ＬＡＮ接続中継装置とを備え、ネットワーク上の通信データを中継する装置であって、ＬＡＮ障害監視装置は、中継ＳＴを構成する、各中継装置、幹線ＬＡＮ接続中継装置、それぞれ対して監視データを送信し、前記中継装置、幹線ＬＡＮ接続中継装置それぞれが、ＬＡＮ障害監視装置に対して応答データを送信する。
【００１０】
本発明のＬＡＮ障害監視装置によれば、ネットワークの中継ＳＴに対して監視データを送信し、その応答データ受信の有無を監視することで、障害箇所の特定を行うことができる。通信障害により、ＬＡＮ障害監視装置は、片方のＬＡＮを介した応答データの受信が無かった場合、もう片方のＬＡＮを介して障害情報の採取を行う。
【００１１】
また、本発明のＬＡＮ障害監視装置によれば、取得した障害情報からネットワーク全体への障害波及するような障害を検出した場合、障害要因箇所のネットワークからの切り離しを行う。例えば、前記計算機からの過渡な通信データ送信による通信障害が発生した場合、計算機に接続した中継ＳＴを、ネットワークから切り離すことで、過渡な通信データがネットワークへ送信されることを防止することを実現できる。
【発明の効果】
【００１２】
本発明によれば、ネットワークの中継ＳＴに対して監視データを送信し、その応答データから障害発生を監視することで、障害箇所の特定を行う。２系統ＬＡＮを構成することにより、片系で障害発生時、もう片方の障害が発生していないＬＡＮを介することで障害情報を採取することができる。
【００１３】
また、障害要因箇所となる中継ＳＴをネットワークから自動で切り離しをすることで障害がネットワーク全体に波及することを防止する。
【００１４】
以上により、障害情報の採取及び障害原因の究明の時間が縮減することが可能なＬＡＮ障害監視装置、方法及びプログラムを提供することができる。
【図面の簡単な説明】
【００１５】
【図１】障害監視装置のネットワーク構成の一例を示す図である。
【図２】障害監視装置が監視するネットワーク構成の一例である。
【図３】障害監視装置の構成の一例を示すブロック図である。
【図４】障害監視装置が記憶する中継ＳＴの障害発生有無のパターンの一例であり、中継ＳＴ障害有無管理テーブルを示す。
【図５】図４の障害発生有無の一例のネットワーク構成を示す。
【図６】障害監視装置が記憶する中継ＳＴの障害発生有無のパターンの一例であり、中継ＳＴ障害有無管理テーブルを示す。
【図７】図６の障害発生有無の一例のネットワーク構成を示す。
【図８】障害監視装置が記憶する中継ＳＴの障害発生有無のパターンの一例であり、中継ＳＴ障害有無管理テーブルを示す。
【図９】図８の障害発生有無の一例のネットワーク構成を示す。
【図１０】障害監視装置が記憶する中継ＳＴの障害発生有無のパターンの一例であり、中継ＳＴ障害有無管理テーブルを示す。
【図１１】図１０の障害発生有無の一例のネットワーク構成を示す。
【図１２】障害監視装置が行うネットワーク監視処理の手順を示すフローチャートである。
【図１３】障害発生の要因箇所を特定する処理手順のフローチャートである。
【図１４】ネットワーク切り離し後に行う、障害発生を確認する処理手順のフローチャートである。
【発明を実施するための形態】
【００１６】
〔実施例〕
図１は、本発明である障害監視装置のネットワーク構成の一例を示す図である。障害監視装置を接続するネットワークは、２系統ＬＡＮで構成される。
【００１７】
障害監視装置２は中継装置２１、２２と接続し、中継装置２１は幹線ＬＡＮ接続中継装置２３、２４と、中継装置２２も同様に幹線ＬＡＮ接続中継装置２３、２４と接続する。また、幹線ＬＡＮ接続中継装置２３は１系幹線ＬＡＮ１１と、幹線ＬＡＮ接続中継装置２４は２系幹線ＬＡＮ１２と接続する。中継装置２１、２２、幹線ＬＡＮ接続中継装置２３、２４を総じて、中継ＳＴ２５とする。
【００１８】
計算機４は、中継装置４１、４２と接続し、中継装置４１は幹線ＬＡＮ接続中継装置４３、４４と、中継装置４２もまた幹線ＬＡＮ接続中継装置４３、４４と接続する。幹線ＬＡＮ接続中継装置４３は１系幹線ＬＡＮ１１と、幹線ＬＡＮ接続中継装置４４は２系幹線ＬＡＮ１２と接続する。中継装置４１、４２、幹線ＬＡＮ接続中継装置４３、４４を総じて、中継ＳＴ４５とする。
【００１９】
中継装置は、障害監視装置２あるいは計算機４と幹線ＬＡＮ接続中継装置の通信データの中継を行う。幹線ＬＡＮ接続中継装置は、幹線ＬＡＮを介する通信データの中継を行う。
【００２０】
図２に、障害監視装置を接続する２系統幹線ＬＡＮの構成の一例を示す。図２に示すように１系幹線ＬＡＮ１１及び２系幹線ＬＡＮ１２には複数の中継ＳＴ２５、３５、４５、５５、６５を接続しており、リング状に２系統のネットワークを構成する。
【００２１】
障害監視装置２のネットワーク障害監視はＵＤＰ／ＩＰを使用して行う。障害監視装置２はＵＤＰ／ＩＰで監視パケットをネットワーク上の各中継装置、幹線ＬＡＮ接続中継装置へ送信する。各中継装置、幹線ＬＡＮ接続中継装置は障害監視装置２からの前記監視パケットを受信すると、応答パケットを障害監視装置２へ送信する。障害監視装置２は各中継装置、幹線ＬＡＮ接続中継装置からの前記応答パケットの有無と、受信した応答パケットに含まれる障害情報を監視することで、障害の検出を行う。
【００２２】
図３に障害監視装置２の構成の一例を示す。障害監視装置２は、監視部２１０と、通信部２２０と、情報収集部２３０と、記憶部２４０とを備える。
【００２３】
監視部２１０は、記憶部２４０に記憶されたネットワーク上の各中継装置、幹線ＬＡＮ接続中継装置のＩＰアドレスと、幹線ＬＡＮ接続中継装置の接続順序の情報を元に監視を行う。監視部２１０は、各幹線ＬＡＮ接続中継装置の監視から行う。これは、図１において、障害監視装置２は、計算機４に接続している中継装置４１、４２の監視を行うには、幹線ＬＡＮ接続中継装置２３、２４、４３、４４を中継して、監視パケットを中継装置４１、４２へ送信するため、中継装置４１、４２の監視を行う前に、各幹線ＬＡＮ接続中継装置の障害を検出する必要があるためである。
【００２４】
監視部２１０は監視パケットを通信部２２０へ渡し、通信部２２０は前記監視パケットを各中継装置へ送信する。また、監視部２１０は通信部２２０を介して応答パケットを受信する。
【００２５】
監視部２１０は、受信した応答パケットと、記憶部２４０に記憶されたネットワーク情報から、各中継装置、幹線ＬＡＮ接続中継装置からの応答パケットの有無の判定を行う。応答パケットが返信されていないと判定した中継装置、または幹線ＬＡＮ接続中継装置があった場合、監視部２１０はその中継装置、または幹線ＬＡＮ接続中継装置に通信異常が発生したと判断し、記憶部２４０に通信異常が発生したことを記録する。
【００２６】
応答パケットを受信した場合、監視部２１０は応答パケットに含まれる障害情報を取得し、応答パケットを返信した中継装置、または幹線ＬＡＮ接続中継装置に障害が発生しているか判定を行う。障害が発生していると判定した場合、監視部２１０は応答パケットを返信した中継装置、または幹線ＬＡＮ接続中継装置に障害が発生したことを記憶部２４０に記録する。監視部２１０が応答パケットを受信し障害も発生していないと判定した場合は、応答パケットを返信した中継装置、または幹線ＬＡＮ接続中継装置が正常であることを記憶部２４０に記録する。
【００２７】
また、監視部２１０は、記憶部２４０から、各中継装置、幹線ＬＡＮ接続中継装置の障害発生の有無のデータを参照して、障害発生の要因となる中継ＳＴの特定を行う。また、ネットワーク全体に波及するような障害を検知した場合、監視部２１０は、障害波及の要因となる中継ＳＴの幹線ＬＡＮ接続中継装置へ、幹線ＬＡＮからの切り離しを要求するパケットを送信する。これにより、障害要因の中継ＳＴをネットワークから切り離す。
【００２８】
ネットワーク情報収集部２３０は、１系情報収集部２３１と２系情報収集部２３２とを備え、ネットワーク上の各中継装置、幹線ＬＡＮ接続中継装置のＩＰアドレスと、幹線ＬＡＮ接続中継装置の幹線ＬＡＮ上での接続順序の情報の収集、記憶部２４０へ収集した情報の記憶を行う。
【００２９】
記憶部２４０は、１系記憶部２４１と２系記憶部２４２とを備え、ネットワーク上の各中継装置、幹線ＬＡＮ接続中継装置のＩＰアドレスと、幹線ＬＡＮ接続中継装置の接続順序の情報、及び通信異常や障害発生情報などの動作状態が記憶されている。
【００３０】
１系情報収集部２３１は図１に示す１系幹線ＬＡＮに接続している中継装置、幹線ＬＡＮ接続中継装置のＩＰアドレスと、幹線ＬＡＮ接続中継装置の接続順序の情報を収集し、収集した情報を１系記憶部２４１に記録する。２系情報収集部２３１は図１の２系幹線ＬＡＮに接続している中継装置、幹線ＬＡＮ接続中継装置のＩＰアドレスと、幹線ＬＡＮ接続中継装置の接続順序の情報を収集し、収集した情報を２系記憶部２４２に記録する。
【００３１】
図４に中継ＳＴの障害発生有無の一例である、中継ＳＴ障害有無管理テーブル２４１１を示す。また、図５に図４の障害発生有無の一例のネットワーク構成を示す。
【００３２】
中継ＳＴ障害発生有無管理テーブルは記憶部２４０に記憶されており、監視部２１０が障害有無の記録、及び参照を行う。中継ＳＴ障害有無管理テーブル２４１１に示している「ＯＫ」は、監視部２１０が中継ＳＴの各中継装置、幹線ＬＡＮ接続中継装置から応答パケットを受信し、各中継装置、幹線ＬＡＮ接続中継装置の応答パケットに含まれる障害情報がいずれも「障害無し」であった場合を表す。一方、「ＮＧ」は、各中継装置、幹線ＬＡＮ接続中継装置の応答パケットに含まれる障害情報が一つでも「障害有り」であった場合を表す。
【００３３】
監視部２１０は、記憶部２４０に記録されている中継ＳＴ障害有無管理テーブルを参照し、全中継ＳＴの障害有無の状態を確認する。
【００３４】
中継ＳＴ障害有無管理テーブル２４１１では、中継ＳＴ４５のみ「ＮＧ」、他の中継ＳＴ２５、３５、５５、６５は「ＯＫ」となっている。中継ＳＴ４５のみ「ＮＧ」となっていることから、計算機４から中継ＳＴ４５への通信により障害を発生させていると判断し、監視部２１０は、中継ＳＴ４５が障害発生の要因と特定する。
【００３５】
また、監視部２１０は、１系記憶部２４１及び２系記憶部２４２を参照して、中継ＳＴ４５の、各中継装置、幹線ＬＡＮ接続中継装置の障害情報を取得し、その取得した障害情報からネットワーク全体へ波及するような障害であるか判定を行う。監視部２１０は、ネットワーク全体へ波及する障害と判定した場合、中継ＳＴ４５の幹線ＬＡＮ接続中継装置へ幹線ＬＡＮからの切り離し要求パケットを送信し、中継ＳＴ４５をネットワークから切り離す。また、通信障害が発生し、ある中継装置からの応答パケットを受信できなかった場合は、通信障害が発生していないＬＡＮを介して、中継装置から障害情報の採取を行う。
【００３６】
図１を例にすると、障害監視装置２は１系幹線ＬＡＮ１１を介して監視パケットを中継装置４１へ送信し、中継装置４１からの応答パケットを待つが、通信障害により応答パケットの受信が無かった場合、障害監視装置は２系幹線ＬＡＮ１２を介して、幹線ＬＡＮ接続中継装置４４、中継装置４２、計算機４を中継し、中継装置４１へ監視パケットを送信する。
【００３７】
これにより、中継装置４１の障害情報を採取することができる。中継装置４１、４２どちらも障害が発生した場合は、障害情報の採取が不可能であり、中継ＳＴ４５はネットワークへ障害を波及する可能性があることから、障害監視装置２は、中継ＳＴ４５の幹線ＬＡＮ接続中継装置へ幹線ＬＡＮからの切り離し要求パケットを送信し、中継ＳＴ４５をネットワークから切り離す。
【００３８】
図６に、障害発生有無の一例である、中継ＳＴ障害有無管理テーブル２４１２を示す。また、図７に図６の障害発生有無の一例のネットワーク構成を示す。
【００３９】
中継ＳＴ障害有無管理テーブル２４１２は、中継ＳＴ４５のみ「ＯＫ」、他の中継ＳＴ２５、３５、５５、６５は「ＮＧ」となっている。監視部２１０は、中継ＳＴ４５のみ「ＯＫ」となっていることから、中継ＳＴ４５が障害の要因となり、中継ＳＴ３５、２５の方向へ、また中継ＳＴ５５、６５の方向へ障害が波及していると判断し、中継ＳＴ４５の幹線ＬＡＮ接続中継装置へ幹線ＬＡＮからの切り離し要求パケットを送信し、中継ＳＴ４５をネットワークから切り離す。
【００４０】
図８に、障害発生有無の一例である、中継ＳＴ障害有無管理テーブル２４１３を示す。また、図９に図８の障害発生有無の一例のネットワーク構成を示す。
【００４１】
中継ＳＴ障害有無管理テーブル２４１３は、中継ＳＴ４５、５５、６５が「ＯＫ」、中継ＳＴ２５、３５が「ＮＧ」となっている。障害が発生している中継ＳＴの境界が一箇所である場合、監視部２１０は、中継ＳＴ４５が障害発生の要因となり、中継ＳＴ３５、２５側の一方向に障害を波及させていると判断し、中継ＳＴ４５へ幹線ＬＡＮからの切り離し要求パケットを送信し、中継ＳＴ４５をネットワークから切り離す。
【００４２】
図１０に、障害発生有無の一例である、中継ＳＴ障害有無管理テーブル２４１４を示す。また、図１１に図８の障害発生有無の一例のネットワーク構成を示す。
【００４３】
中継ＳＴ障害有無管理テーブル２４１４は、中継ＳＴ２５、３５が「ＯＫ」、中継ＳＴ４５、５５、６５が「ＮＧ」となっている。図８と同様、障害が発生している中継ＳＴの境界が一箇所であるため、監視部２１０は、中継ＳＴ３５が障害発生の要因となり、中継ＳＴ４５、５５、６５側の一方向に障害を波及させていると判断し、中継ＳＴ３５へ幹線ＬＡＮからの切り離し要求パケットを送信し、中継ＳＴ３５をネットワークから切り離す。
【００４４】
図４から図１１に示すように、監視部２１０は、障害発生の要因となっている中継ＳＴを一箇所に特定できた場合、障害発生の要因となっている中継ＳＴをネットワークから切り離す。
【００４５】
図１２に、障害監視装置がネットワークを監視し、障害発生の要因となる中継ＳＴを特定する手順を示す。ステップ２１１にて、障害監視装置２はネットワーク上の全ての中継装置、幹線ＬＡＮ接続中継装置に対し監視パケットを送信する。障害監視装置２は監視パケットの送信を、幹線ＬＡＮ接続中継装置、中継装置の順に行う。
【００４６】
次にステップ２１２では、障害監視装置２は中継装置からの応答パケットを受信し、障害発生の有無を記憶部２４０の障害発生有無管理テーブルに記憶する。
【００４７】
ステップ２１３にて障害発生の検出を行い、障害発生を検出した場合は、ステップ２１４にて障害が発生した中継ＳＴの台数を表すカウンタを加算する。
【００４８】
ステップ２１５にて、ネットワーク上の全中継ＳＴから応答パケットを受信したか確認を行い、全中継装置から応答パケットを受信していない場合はステップ２１２へ戻り、全応答パケットを受信した場合は、ステップ２１６にて、ステップ２１４で加算した障害発生中継ＳＴカウンタのチェックを行う。
【００４９】
その後、ステップ２１７にて、障害発生要因中継装置特定処理を行い、障害発生の要因となる中継ＳＴを特定する。ステップ２１８では、ステップ２１７の障害発生要因中継ＳＴ特定、切り離し処理にて中継ＳＴを幹線ＬＡＮからの切り離しを行ったか確認を行い、切り離しを行っていない場合は処理を終了する。
【００５０】
ステップ２１９にて、障害発生確認処理を行い、障害発生要因と特定した中継ＳＴをネットワークから切り離したことにより、障害発生が解消されたか確認を行う。
【００５１】
図１３に、図１２の障害発生要因中継ＳＴ特定、切り離し処理２１７のフローチャートを示す。ステップ２１７１にて、図１２のステップ２１６でチェックした障害発生中継ＳＴカウンタを参照し、障害発生数０の場合は、中継ＳＴに障害が発生していないと判定し、処理を終了する。
【００５２】
ステップ２１７２にて、障害発生数１の場合は、前記、図４に示した中継ＳＴ障害有無管理テーブル２４１１の例のように、障害が発生した中継ＳＴが障害発生要因箇所であると特定する。
【００５３】
ステップ２１７３にて、障害発生中継ＳＴの台数が、ネットワーク上の中継ＳＴの台数より１台少ない数であると判定した場合、つまり１台の中継ＳＴのみ「障害なし」と判定した場合、前記、図６に示した中継ＳＴ障害有無管理テーブル２４１２の例のように、障害が発生していない中継ＳＴが障害発生要因箇所であると特定する。
【００５４】
ステップ２１７４では、記憶部２４０に記憶した中継ＳＴの接続順と、各中継ＳＴの障害発生の有無から、図８に示した中継ＳＴ障害有無管理テーブル２４１３、図１０に示した中継ＳＴ障害有無管理テーブル２４１４の例のように、障害が発生している中継ＳＴの境界を検索し、障害発生要因箇所である中継ＳＴを特定する。
【００５５】
ステップ２１７５では、ステップ２１７１からステップ２１７４までの判定で障害要因箇所を特定できなかった場合は、処理を終了する。ステップ２１７６にて、障害要因の中継ＳＴが障害監視装置２に接続されている中継ＳＴであるか判定を行う。障害監視装置２に接続されている中継ＳＴであった場合、ネットワーク監視ができなることから、ステップ２１７７の中継装置の幹線ＬＡＮからの切り離しは行わずに、処理を終了する。障害要因箇所が、障害監視装置接続の中継ＳＴ以外の中継ＳＴであると特定された場合は、その中継装置をネットワークから切り離す。
【００５６】
図１４には、図１２の障害発生確認処理２１９のフローチャートを示す。ステップ２１９１からステップ２１９５までは、図１４のステップ２１１からステップ２１５と同等の処理を行い、ネットワーク上の障害発生の有無を記憶部２４０に記録する。
【００５７】
ステップ２１９６にて、障害発生要因と特定した中継ＳＴを幹線ＬＡＮから切り離したことにより、障害発生が解消されたか確認を行い、障害発生が解消された場合は処理を終了する。障害発生が解消されなかった場合、幹線ＬＡＮから切り離した中継ＳＴは障害発生要因ではないと判断し、ステップ２１９７にて、幹線ＬＡＮから切り離しを解除する。
【００５８】
前記した障害監視装置２によるネットワーク監視では、障害が発生した場合も障害発生の要因箇所を幹線ＬＡＮからの切り離し指示を行うことにより、ネットワークから論理的に切り離すため、自動で障害波及を防止し、ネットワークの運用を維持することができる。また、障害が発生していないＬＡＮから障害情報を採取するため、保守員が障害情報を採取し原因究明を行う作業時間を縮減することができる。
【産業上の利用可能性】
【００５９】
本発明によれば、２系統で構成されるローカルエリアネットワークを対象として、ネットワークへの障害波及の防止を行うＬＡＮ障害監視装置、方法及びプログラムを提供できる。
【符号の説明】
【００６０】
２  障害監視装置
４  計算機
１１  １系幹線ＬＡＮ
１２  ２系幹線ＬＡＮ
２１、２２、４１、４２  中継装置
２３、２４、４３、４４  幹線ＬＡＮ接続中継装置
２５、３５、４５、５５、６５  中継ＳＴ
２１０  監視部
２２０  通信部
２３０  ネットワーク情報収集部
２３１  １系情報収集部
２３２  ２系情報収集部
２４０  記憶部
２４１  １系記憶部
２４２  ２系記憶部
２４１１〜２４１４  中継ＳＴ障害有無管理テーブル
２１１〜２１９  障害発生の要因箇所を特定する処理手順
【図１】
2014011595.tif 000003
【図２】
2014011595.tif 000004
【図３】
2014011595.tif 000005
【図４】
2014011595.tif 000006
【図５】
2014011595.tif 000007
【図６】
2014011595.tif 000008
【図７】
2014011595.tif 000009
【図８】
2014011595.tif 000010
【図９】
2014011595.tif 000011
【図１０】
2014011595.tif 000012
【図１１】
2014011595.tif 000013
【図１２】
2014011595.tif 000014
【図１３】
2014011595.tif 000015
【図１４】
2014011595.tif 000016